(57)【要約】      （修正有）【課題】幅広いウエストサイズに対応可能で、且つ安価なウエストサイズ調整補助具、及びそのウエストサイズ調整補助具とサッシュベルトとを備えるウエストサイズ調整補助セットを提供する。【解決手段】ウエストサイズ調整補助具１０の弾性帯１１は、長手方向に伸縮可能であり、その一端部が折り返された状態でエイトカン１２及びＤカン１３によって保持されており、折り返し量を調整可能である。このウエストサイズ調整補助具１０は、弾性帯１１の他端部に連結された第２係止部材２２と、折り返し部１１３に連結された第１係止部材２１とによってベルト通し３０２，３０３に着脱可能に係止される。【選択図】図１
0003173497.tif 000002
【実用新案登録請求の範囲】
【請求項１】
長手方向に伸縮可能な弾性を有する弾性帯と、
前記弾性帯の一端部を折り返した状態で当該弾性帯を保持し、当該弾性帯の折り返し量を調整可能な調整部材と、
一方が前記弾性帯の他端部に連結されると共に他方が当該弾性帯の折り返し部に連結され、ズボンやスカートなどのベルト通しにそれぞれ着脱可能に係止される一対の係止部材とを備える、ウエストサイズ調整補助具。
【請求項２】
前記一対の係止部材は、ズボンの前開き部の両側に設けられたベルト通しに係止されるものである、請求項１に記載のウエストサイズ調整補助具。
【請求項３】
前記折り返し量を最大に調整し且つ前記弾性帯が伸長していない状態における全長が、前記前開き部が閉塞された状態での前記両側のベルト通し間の距離に基づいて設定されている、請求項２に記載のウエストサイズ調整補助具。
【請求項４】
前記一対の係止部材は、伸縮しない材料で構成されている、請求項１から３のいずれかに記載のウエストサイズ調整補助具。
【請求項５】
前記一対の係止部材の幅が、前記ベルト通しの幅よりも小さく設定されている、請求項１から４のいずれかに記載のウエストサイズ調整補助具。
【請求項６】
前記一対の係止部材は、スナップファスナーを有して構成されている、請求項１から５のいずれかに記載のウエストサイズ調整補助具。
【請求項７】
請求項１から６のいずれかに記載のウエストサイズ調整補助具と、
少なくとも前記ウエストサイズ調整補助具を覆うサッシュベルトとを備える、ウエストサイズ調整補助セット。
【請求項８】
前記サッシュベルトは、前身頃の下端部が下方に突出した形状である、請求項７に記載のウエストサイズ調整補助セット。
【請求項９】
前記サッシュベルトは、後ろ身頃の下端部が上方に凹んだ形状である、請求項７又は８に記載のウエストサイズ調整補助セット。
【考案の詳細な説明】
【技術分野】
【０００１】
本考案は、ズボンやスカート等のウエストサイズを調整するためのウエストサイズ調整補助具、及びそのウエストサイズ調整補助具とサッシュベルトとを備えるウエストサイズ調整補助セットに関する。
【背景技術】
【０００２】
従来、産前や産後にウエストサイズが大きくなってズボンの前開き部に設けられたボタンをボタンホールに係止することができなくなった場合に、ボタンとボタンホールとを間接的に繋ぎ合せるように取り付けられることによって、ズボンがずれ落ちてしまうのを防止することが可能なウエストサイズ調整補助具が考えられている（例えば特許文献１参照）。
【０００３】
特許文献１に記載のウエストサイズ調整補助具は、平ゴムを用いて形成された帯状部材と、帯状部材の一端部に設けられた取り付けボタンと、帯状部材の他端側に形成された調整用ボタンホールとを有して構成されている。このウエストサイズ調整補助具は、取り付けボタンをズボンの前開き部のボタンホールに係止すると共に、前開き部のボタンを調整用ボタンホールに係止することによって、ズボンの前開き部に設けられたボタンとボタンホールとを連結する。なお、帯状部材には、妊婦のウエストサイズの変化に対応できるように、複数の調整用ボタンホールが形成されている。
【先行技術文献】
【特許文献】
【０００４】
【特許文献１】特開２００８−１５０７５８号公報
【考案の概要】
【考案が解決しようとする課題】
【０００５】
ところで、上記特許文献１に記載のウエストサイズ調整補助具は、ズボンの前開き部に設けられたボタン及びボタンホールを利用して装着する構成であるため、ボタン及びボタンホールを有しないズボンには使用することができないという問題点がある。そこで、本考案の出願人は、特許文献１に記載のウエストサイズ調整補助具に取り付けボタン及び調整用ボタンホールを設ける代わりに、ズボンが有しているベルト通しに係止される係止部材を帯状部材の両端に設けるといった構成を考えた。
【０００６】
しかしながら、上記構成では、帯状部材の伸縮性によって対応可能なウエストサイズの対応幅が決まるため、妊婦に限らず、肥満体形の人や中高年の人が使用することを想定した場合に、幅広いウエストサイズに対応できないという問題点があった。また、この問題点を解決するためには帯状部材の長さが相異なる複数種のウエストサイズ調整補助具を製造することが考えられるが、この場合、製造コストが嵩むという別の問題点が生じることになる。
【０００７】
本考案は、上記課題に鑑みてなされたものであって、幅広いウエストサイズに対応可能で、且つ安価なウエストサイズ調整補助具、及びそのウエストサイズ調整補助具とサッシュベルトとを備えるウエストサイズ調整補助セットを提供することを目的とする。
【課題を解決するための手段】
【０００８】
本考案は、上記の課題を解決するために以下の構成を採用した。なお、本欄における括弧内の参照符号や補足説明等は、本考案の理解を助けるために、後述する実施形態との対応関係を示したものであって、本考案を何ら限定するものではない。
【０００９】
本考案に係るウエストサイズ調整補助具（１０）は、弾性帯（１１）、調整部材（１２，１３）、及び一対の係止部材（２１，２２）を備える。弾性帯（１１）は、弾性を有しており、長手方向に伸縮可能である。調整部材（１２，１３）は、弾性帯（１１）の一端部（１１１）を折り返した状態で弾性帯（１１）を保持し、弾性帯（１１）の折り返し量を調整可能に構成されている。一対の係止部材（２１，２２）は、一方が弾性帯（１１）の他端部（１１２）に連結されると共に他方が弾性帯（１１）の折り返し部（１１３）に連結されており、ズボン（３００）やスカートなどのベルト通し（３０２，３０３）にそれぞれ着脱可能に係止される。
【００１０】
ウエストサイズ調整補助具は、線ファスナーを開いた状態でズボンやスカートなどを穿く際に、ズボンやスカートなどのウエストサイズを調整するために、係止部材をベルト通しに係止させた状態で使用される。
【００１１】
上記構成によれば、弾性帯が伸縮するだけでなく、弾性帯の折り返し量を調整することによって一対の係止部材の間の弾性帯の長さを変更することができるので、ウエストサイズの幅広い調整が可能である。このため、妊婦用、肥満体形の人用、中高年用というように弾性帯の長さが互いに異なる複数種のウエストサイズ調整補助具を用意する必要がない。したがって、ウエストサイズ調整補助具を安価に製造することができる。
【００１２】
一対の係止部材（２１，２２）は、ズボン（３００）の前開き部（３０１）の両側に設けられたベルト通し（３０２，３０３）に係止されるものであってもよい。
【００１３】
本考案のウエストサイズ調整補助具は、線ファスナーやボタンなどによって閉塞されるズボンの前開き部の両側に設けられたベルト通しに係止されるものであるため、使用者がズボンを穿いたままの状態で弾性帯の長さを調整したり、容易に着脱したりすることができる。
【００１４】
折り返し量を最大に調整し且つ弾性帯（１１）が伸長していない状態における全長が、前開き部（３０１）が閉塞された状態での両側のベルト通し（３０２，３０３）間の距離に基づいて設定されていてもよい。
【００１５】
弾性帯は、折り返し量を最小に調整することで係止部材間の長さが最大になり、逆に折り返し量を最大に調整することで係止部材間の長さが最小になる。例えば、折り返し量を最大に調整し且つ弾性帯が伸長していない状態におけるウエストサイズ調整補助具の全長を、ズボンの前開き部が閉塞された状態においてその両側のベルト通し間の距離と略等しく設定することにより、ウエストサイズの調整幅を極めて大きくすることができる。
【００１６】
一対の係止部材（２１，２２）は、伸縮しない材料で構成されていることが好ましい。
【００１７】
ウエストサイズ調整補助具が装着された状態では、係止部材がベルト通しを引っ張った状態となるため、例えば係止部材をゴムで構成した場合、ベルト通しの一点に引っ張り力がかかり、ベルト通しに必要以上に負荷がかかるおそれがある。上記構成によれば、係止部材が伸縮しない材料で構成されているので、ベルト通しに均一に負荷がかかるので、ベルト通しが傷むのを効果的に防止することができる。
【００１８】
一対の係止部材（２１，２２）の幅は、ベルト通し（３０２，３０３）の幅よりも小さく設定されていることが好ましい。
【００１９】
上記構成によれば、係止部材の幅がベルト通しの幅よりも小さく設定されているので、係止部材をベルト通しに容易に挿通させることができる。したがって、係止部材をベルト通しに挿通させてからベルト通しに係止する構成において、係止部材の幅がベルト通しの幅よりも大きい場合に比べて、ベルト通しに対する係止部材の着脱が容易であるという利点がある。
【００２０】
一対の係止部材（２１，２２）は、スナップファスナー（２１１，２１２，２２１，２２２）を有して構成されていてもよい。
【００２１】
上記構成によれば、ウエストサイズ調整補助具の着脱を容易に行うことができる。
【００２２】
本考案に係るウエストサイズ調整補助セットは、上記ウエストサイズ調整補助具（１０）と、少なくともウエストサイズ調整補助具（１０）を覆うサッシュベルト（５０）とを備える。
【００２３】
上記構成によれば、ウエストサイズ調整補助具の使用者がサッシュベルトを腰に装着することによって、ウエストサイズ調整補助具がサッシュベルトに覆われる。すなわち、ズボンなどの前開き部を隠すことで使用者が恥ずかしさを感じるのを防止できるので、ウエストサイズ調整補助具の使いやすさを向上させることができる。
【００２４】
サッシュベルト（５０）は、前身頃（５１）の下端部（５２）が下方に突出した形状であってもよい。
【００２５】
ウエストサイズ調整補助具の使用者の体のラインとの関係で、サッシュベルトはその前身頃が上方にずれ易いが、前身頃の下端部が下方に突出した形状である場合、前身頃が上方に若干ずれたとしても、開放された前開き部がサッシュベルトで覆われた状態を維持することができる。
【００２６】
サッシュベルト（５０）は、後ろ身頃（５４）の下端部（５５）が上方に凹んだ形状であってもよい。
【００２７】
上記構成によれば、サッシュベルトの後ろ身頃の下端部が上方に凹んだ形状であるためにサッシュベルトが体に沿いやすく、その結果、ウエストサイズ調整補助具の使用者が体を動かした際にサッシュベルトがずれるのを効果的に防止することができる。
【考案の効果】
【００２８】
この考案によれば、幅広いウエストサイズに対応可能で、且つウエストサイズ調整補助具を安価に製造することができる。
【図面の簡単な説明】
【００２９】
【図１】ウエストサイズ調整補助具１０が装着されたズボン３００の前開き部３０１周辺を示す図
【図２】サッシュベルト５０が装着されたズボン３００の前開き部３０１周辺を示す図
【図３】ウエストサイズ調整補助具１０の正面図
【図４】サッシュベルト５０の構成を示す図
【図５】ウエストサイズ調整補助具１０の変形例について説明するための図
【考案を実施するための形態】
【００３０】
以下、図面を参照しつつ、本考案の一実施形態に係るウエストサイズ調整補助セットについて説明する。
【００３１】
［ウエストサイズ調整補助セットの構成］
図１は、本実施形態に係るウエストサイズ調整補助具１０が装着されたズボン３００の前開き部３０１周辺を示す図である。図２は、サッシュベルト５０が装着されたズボン３００の前開き部３０１周辺を示す図である。
【００３２】
ウエストサイズ調整補助セットは、ズボン３００の前開き部３０１を開放した状態でズボン３００を穿くために使用されるものであり、ウエストサイズ調整補助具１０と、サッシュベルト５０とを有して構成されている。ウエストサイズ調整補助具１０は、図１に示されるように、ズボン３００が有するベルト通し３０２，３０３を利用してズボン３００に装着されるものである。このウエストサイズ調整補助具１０が装着されることにより、ズボン３００の前開き部３０１がウエストサイズ調整補助具１０によって連結されるため、妊婦や肥満体形の人、中高年といったウエストサイズ調整補助具１０の使用者（以下、単に「使用者」という。）は、前開き部３０１の線ファスナー３０５を閉じたり、或いは前開き部３０１のボタンをボタンホールに係止したりすることなく、ズボン３００を穿くことが可能である。また、図２に示されるように、使用者がウエストサイズ調整補助具１０を装着した状態でサッシュベルト５０を腰に装着することにより、ズボン３００の前開き部３０１、及びウエストサイズ調整補助具１０がサッシュベルト５０によって覆われるので、使用者が恥ずかしさを感じることなくウエストサイズ調整補助具１０を使用することができる。
【００３３】
［ウエストサイズ調整補助具１０の構成］
次に、図３を参照しつつ、ウエストサイズ調整補助具１０の構成について説明する。ここで、図３は、ウエストサイズ調整補助具１０の正面図であり、図３（Ａ）はスナップファスナー２１１，２２１を留めずに弾性帯１１の折り返し量を最大にした状態を示し、図３（Ｂ）はスナップファスナー２１１，２２１を留めて弾性帯１１の折り返し量を最大にした状態を示し、図３（Ｃ）はスナップファスナー２１１，２２１を留めて弾性帯１１の折り返し量を最小にした状態を示す。
【００３４】
ウエストサイズ調整補助具１０は、大別して、弾性帯１１と、調整部材としてのエイトカン１２及びＤカン１３と、第１係止部材２１と、第２係止部材２２とにより構成されている。
【００３５】
第１係止部材２１及び第２係止部材２２は、ズボン３００が有するベルト通しに着脱可能に係止されるものである。図１には、第１係止部材２１が使用者から見てズボン３００の前開き部３０１の右側のベルト通し３０２に係止されると共に、第２係止部材２２が前開き部３０１の左側のベルト通し３０３に係止された状態が示されている。
【００３６】
第１係止部材２１及び第２係止部材２２は、それぞれベルト通し３０２，３０３に挿通された後に半分に折り曲げられた状態（図３（Ｂ）参照）でスナップファスナー２１１，２２１が留められることにより、ベルト通し３０２，３０３に係止される。このため、第１係止部材２１及び第２係止部材２２をベルト通し３０２，３０３に容易に挿通できるように、第１係止部材２１及び第２係止部材２２の幅（図３における上下方向の幅）が、ベルト通し３０２，３０３の幅よりも小さく設定されている。例えば、ウエストサイズ調整補助具１０をベルト通しの幅が比較的広いデニムなどに装着する場合には、第１係止部材２１及び第２係止部材２２の幅は、例えば４０ｍｍ程度に設定すればよい。
【００３７】
また、後に詳述するが、第１係止部材２１及び第２係止部材２２には弾性帯１１の弾性力が作用するため、ベルト通し３０２，３０３が、第１係止部材２１及び第２係止部材２２によって引っ張られることになる。このため、第１係止部材２１及び第２係止部材２２は、ゴムのように伸縮したり変形したりしない構成であることが好ましい。そこで、本実施形態では、第１係止部材２１及び第２係止部材２２は、ポリエステルと綿とから構成された織芯地（例えばポリエステルが９０％で綿が１０％）を挟み込むように２枚の綿布を重ねて縫い合わせたものが使用されている。
【００３８】
第１係止部材２１及び第２係止部材２２は、それぞれ、幅方向（図３における上下方向）に並ぶように配置された２組のスナップファスナー２１１，２２１（点ファスナー）を有して構成されている。このため、第１係止部材２１及び第２係止部材２２をベルト通し３０２，３０３に対して容易に着脱することができる。
【００３９】
なお、スナップファスナー２１１，２２１を外して広げた状態における第１係止部材２１及び第２係止部材２２の幅Ｌ（図３（Ａ）参照）、及びスナップファスナー２１１，２２１の位置は、第１係止部材２１及び第２係止部材２２がそれぞれベルト通し３０２，３０３に引っ掛けられた状態でスナップファスナー２１１，２２１を容易に留められるように、適切な値や位置に設定されている。本実施形態では、幅Ｌは約９０ｍｍに設定されている。
【００４０】
Ｄカン１３は、第１係止部材２１と弾性帯１１とを連結するためのものであり、平ゴム１５と弾性帯１１とを挿通可能な挿通口を有している。このＤカン１３は、例えばポリアセタールによって形成される。
【００４１】
第１係止部材２１は、本実施形態では、平ゴム１５を介してＤカン１３に連結されている。具体的には、平ゴム１５をＤカン１３に挿通させた後に、平ゴム１５の両端部が、第１係止部材２１の２枚の綿布に挟み込まれた状態で縫い合わされている。一方の第２係止部材２２は、弾性帯１１に縫い合わされている。
【００４２】
弾性帯１１は、長手方向（図１における左右方向）に伸縮可能な弾性を有する帯状部材であって、例えばポリエステル繊維によって構成された平ゴムである。エイトカン１２は、例えばポリアセタールによって形成されており、所定の間隔を隔てて設けられた第１支柱１２１及び第２支柱１２２と、第１支柱１２１と第２支柱１２２との間にこれらの支柱と平行配置された中央支柱１２３とを有して構成されている（図１参照）。このため、エイトカン１２の内側には、２つの挿通口が形成されている。弾性帯１１の一端部１１１は、エイトカン１２の裏側（図３の紙面奥側）から第２支柱１２２と中央支柱１２３との間の挿通口に挿通された後に、エイトカン１２の表側（図３の紙面手前側）から第１支柱１２１と中央支柱１２３との間の挿通口に挿通されることによって、中央支柱１２３に巻き掛けられている。そして、弾性帯１１の一端部１１１は、弾性帯１１本体に縫い合わされることによって、エイトカン１２に固定されている。
【００４３】
弾性帯１１の他端部１１２は、平ゴム１５を介して第１係止部材２１が連結されたＤカン１３の裏側（図３の紙面奥側）からＤカン１３の挿通口に挿通された後、エイトカン１２の裏側から第１支柱１２１と中央支柱１２３との間の挿通口に挿通され、更にエイトカン１２の表側から中央支柱１２３と第２支柱１２２との間の挿通口に挿通されている。そして、弾性帯１１の他端部１１２は、第２係止部材２２の２枚の綿布に挟み込まれた状態で縫い合わされることによって第２係止部材２２に固定されている。このように、弾性帯１１の折り返し部１１３（弾性帯１１におけるＤカン１３とエイトカン１２との間の部分）にはＤカン１３を介して第１係止部材２１が連結され、弾性帯１１の他端部１１２には第２係止部材２２が連結されている。
【００４４】
上述したように、エイトカン１２及びＤカン１３は、弾性帯１１の一端部１１１側を折り返した状態で弾性帯１１を保持している。このため、弾性帯１１は、その他端部１１２側をエイトカン１２に対して左右（図３における左右方向）に移動させることで一端部１１１側の折り返し量（弾性帯１１の２重になっている部分の長さ）を調整することができ、その結果、第１係止部材２１と第２係止部材２２との間の距離を変更することが可能である。具体的には、弾性帯１１の他端部１１２側をエイトカン１２に対して第２係止部材２２がエイトカン１２から離れる方向へスライドさせることにより、第１係止部材２１と第２係止部材２２との間隔を広くすることができる（図３（Ｃ）参照）。逆に、弾性帯１１の他端部１１２側をエイトカン１２に対して第２係止部材２２がエイトカン１２に近づく方向へスライドさせることにより、第１係止部材２１と第２係止部材２２との間隔を狭くすることができる（図３（Ａ）及び（Ｂ）参照）。
【００４５】
本実施形態では、折り返し量を最大にしたときの第１係止部材２１と第２係止部材２２との間隔Ｍ（図３（Ａ）及び（Ｂ）参照）が約１００ｍｍに設定されており、折り返し量を最小にしたときの第１係止部材２１と第２係止部材２２との間隔Ｎ（図３（Ｃ）参照）が約１５５ｍｍに設定されている。この折り返し量を最小にした状態では弾性帯１１及び平ゴム１５が合わせて約８０ｍｍ程度まで伸長するため、第１係止部材２１と第２係止部材２２との間の間隔を、約１００ｍｍ〜約２３５（１５５＋８０）ｍｍ程度まで調整することが可能である。
【００４６】
なお、本実施形態では、弾性帯１１の折り返し量を最大に調整し且つ弾性帯１１が伸長していない状態におけるウエストサイズ調整補助具１０の全長が、前開き部３０１が閉塞された状態での前開き部３０１の両側のベルト通し３０２，３０３間の距離に基づいて設定されている。例えば、上記ウエストサイズ調整補助具１０の全長が、前開き部３０１が閉塞された状態でのベルト通し３０２，３０３間の距離と略等しくなるように設定されている。このため、幅広いウエストサイズの調整が可能である。
【００４７】
［サッシュベルト５０の構成］
図４は、サッシュベルト５０の構成を示す図であり、図４（Ａ）はサッシュベルト５０の前身頃５１側を示す図であり、図４（Ｂ）はサッシュベルト５０の後ろ身頃５４側を示す図である。
【００４８】
サッシュベルト５０は、上下に開口を有する略円筒形状の腰帯であり、例えば綿とポリウレタン（例えば綿が９５％でポリウレタンが５％）によって構成されている。サッシュベルト５０の前身頃５１は、図４（Ａ）に示されるように、その下端部５２が下方に突出した形状である。本実施形態では、前身頃５１は、サッシュベルト５０の幅方向（図４における左右方向）における中央部が最も突出した円弧状に形成されている。また、サッシュベルト５０の後ろ身頃５４は、図４（Ｂ）に示されるように、その下端部５５が上方に凹んだ形状である。本実施形態では、後ろ身頃５４は、サッシュベルト５０の幅方向の中央部が最も凹むように湾曲した形状に形成されている。
【００４９】
［ウエストサイズ調整補助セットの使用方法］
以下、ウエストサイズ調整補助セットの使用方法について説明する。ズボン３００を穿いた使用者は、ウエストサイズ調整補助セットを装着するのに先立って、ウエストサイズ調整補助具１０の全長を長くする。具体的には、第２係止部材２２がエイトカン１２から離れる方向へ移動するように、エイトカン１２を一方の手で掴んだ状態で、弾性帯１１におけるエイトカン１２と第２係止部材２２との間の部分を他方の手で掴んでエイトカン１２に対してその部分をエイトカン１２から離れる方向へスライドさせる。これにより、エイトカン１２は、Ｄカン１３に近づく方向へ移動する（図３（Ｂ）の状態から（Ｃ）の状態へと変化する。）。このようにしてウエストサイズ調整補助具１０を長くしておくのは、ベルト通し３０２，３０３への第１係止部材２１及び第２係止部材２２の取り付けを容易に行えるようにするためである。
【００５０】
次に、使用者は、第１係止部材２１をズボン３００の前開き部３０１の右側のベルト通し３０２に挿通させた後に第１係止部材２１を折り返し、第１係止部材２１に設けられている２組のスナップファスナー２１１を留めて第１係止部材２１をベルト通し３０２に連結させる。そして、第２係止部材２２をズボン３００の前開き部３０１の左側のベルト通し３０３に挿通させた後に第２係止部材２２を折り返し、第２係止部材２２に設けられている２組のスナップファスナー２２１を留めて第２係止部材２２をベルト通し３０３に連結させる。
【００５１】
なお、ここでは第１係止部材２１を右側のベルト通し３０２に連結させると共に第２係止部材２２を左側のベルト通し３０３に連結させる場合について説明したが、第１係止部材２１を左側のベルト通し３０３に連結させると共に第２係止部材２２を右側のベルト通し３０２に連結させるようにしてもよい。
【００５２】
続いて、ズボン３００の前開き部３０１の両側のベルト通し３０２，３０３に適度なテンションがかかるように、ウエストサイズ調整補助具１０の全長を短くする。具体的には、一方の手でＤカン１３を掴み、他方の手でエイトカン１２を掴んでＤカン１３から離れる方向に引っ張る。これにより、エイトカン１２に固定された弾性帯１１の一端部１１１がＤカン１３から離れる方向へ移動すると共に、弾性帯１１の他端部１１２側がＤカン１３に近づくように移動する（図３（Ｃ）の状態から（Ｂ）の状態へと変化する。）。その結果、弾性帯１１の折り返し量が多くなって、ウエストサイズ調整補助具１０の全長が短くなる。使用者がベルト通し３０２，３０３に適度なテンションがかかるようにウエストサイズ調整補助具１０の全長を短くすることによって、使用者の腹部がウエストサイズ調整補助具１０によって支えられる。
【００５３】
次に、サッシュベルト５０を装着する。具体的には、サッシュベルト５０の上方の開口部から両足を入れた後にサッシュベルト５０を腰の辺りまで引き上げる。そして、前身頃５１が腹部に当接すると共に後ろ身頃５４が背中に当接するように、サッシュベルト５０の位置及び向きを調整する。その結果、図２に示されるように、ウエストサイズ調整補助具１０、及びズボン３００の前開き部３０１がサッシュベルト５０によって覆われる。
【００５４】
［本実施形態の作用効果］
以上説明したように、本実施形態によれば、弾性帯１１が伸縮するだけでなく、弾性帯１１の折り返し量を調整することによって第１係止部材２１と第２係止部材２２との間の弾性帯１１の長さを変更することができるので、ウエストサイズの幅広い調整が可能である。このため、妊婦用、肥満体形の人用、中高年用というように弾性帯１１の長さが互いに異なる複数種のウエストサイズ調整補助具１０を用意する必要がないため、ウエストサイズ調整補助具１０を安価に製造することができる。
【００５５】
また、本実施形態では、第１係止部材２１及び第２係止部材２２をズボン３００の前開き部３０１の両側に設けられてベルト通し３０２，３０３に取り付ける構成であるため、使用者は、ズボン３００を穿いたままの状態で弾性帯１１の長さを調整したり、ウエストサイズ調整補助具１０を容易に着脱したりすることができる。
【００５６】
なお、ウエストサイズ調整補助具１０は、ズボン３００が有するベルト通し３０２，３０３を利用して装着されるものであるため、前開き部３０１にボタンやボタンホールを有しないズボンにも装着可能である。
【００５７】
また、本実施形態では、弾性帯１１の折り返し量を最大に調整し且つ弾性帯１１が伸長していない状態（図３（Ｂ）参照）におけるウエストサイズ調整補助具１０の全長を、ズボン３００の前開き部３０１が閉塞された状態でその両側のベルト通し３０２，３０３間の距離と略等しく設定されている。これにより、ウエストサイズの調整幅を極めて大きくすることができる。
【００５８】
また、本実施形態では、第１係止部材２１及び第２係止部材２２は、伸縮しない材料で構成され、また、織芯地を２枚の綿布で挟んで縫い合わせた型崩れしにくい構成である。このため、ベルト通し３０２，３０３にテンションがかかった際にベルト通し３０２，３０３に均一に負荷がかかるので、ウエストサイズ調整補助具１０を装着することによってベルト通し３０２，３０３が傷むのを効果的に防止することができる。
【００５９】
また、本実施形態では、第１係止部材２１と第２係止部材２２の幅がベルト通し３０２，３０３の幅よりも小さく設定されているので、第１係止部材２１及び第２係止部材２２をベルト通し３０２，３０３に容易に挿通させることができる。すなわち、第１係止部材２１及び第２係止部材２２の幅がベルト通し３０２，３０３の幅よりも大きい場合に比べて、ベルト通し３０２，３０３に対する第１係止部材２１及び第２係止部材２２の着脱を容易に行うことができる。
【００６０】
また、本実施形態では、第１係止部材２１及び第２係止部材２２の固定にスナップファスナー２１１，２２１を使用しているため、ウエストサイズ調整補助具１０の着脱が極めて容易である。
【００６１】
また、本実施形態では、ウエストサイズ調整補助具１０の使用者がサッシュベルト５０を腰に装着することによって、ウエストサイズ調整補助具１０がサッシュベルト５０に覆われる。すなわち、ズボン３００などの前開き部３０１を隠すことができるので、ウエストサイズ調整補助具１０の使いやすさを向上させることができる。
【００６２】
また、本実施形態では、サッシュベルト５０の前身頃５１の下端部５２が下方に突出した形状であるため、前身頃５１が上方に若干ずれたとしても、サッシュベルト５０が前開き部３０１を覆った状態を維持することができる。
【００６３】
また、本実施形態では、サッシュベルト５０の後ろ身頃５４の下端部５５が上方に凹んだ形状であるためにサッシュベルト５０が体に沿いやすい。このため、ウエストサイズ調整補助具１０の使用者が体を動かした際にサッシュベルト５０がずれるのを効果的に防止することができる。
【００６４】
［ウエストサイズ調整補助具１０の変形例］
図５は、ウエストサイズ調整補助具１０の変形例について説明するための図である。例えば中高年用のズボンの場合、デニムなどと比べてベルト通しの幅が例えば３５ｍｍ程度と狭いため、図１及び図３に示されるウエストサイズ調整補助具１０のように第１係止部材２１及び第２係止部材２２の幅を４０ｍｍ程度に設定してしまうと、第１係止部材２１及び第２係止部材２２をベルト通しに挿通させにくくなってしまう。そこで、中高年用のズボンなどのベルト通しの幅が狭いズボンにウエストサイズ調整補助具１０を装着する場合には、図５に示されるように、第１係止部材２１及び第２係止部材２２の幅を狭くしてもよい。
【００６５】
ところで、スナップファスナーの数が多すぎたり、スナップファスナーが小さすぎたりすると、細かい手作業が苦手な例えば年配の使用者にとっては、ウエストサイズ調整補助具１０が使い勝手の悪いものとなってしまうおそれがある。そこで、ウエストサイズ調整補助具１０の着脱を更に容易にするために、図５に示されるように、図１及び図３に示されているスナップファスナー２１１，２２１に比べて径が大きいスナップファスナー２１２，２２２を１組だけ第１係止部材２１及び第２係止部材２２に設けるようにしてもよい。
【００６６】
［その他の変形例］
なお、本考案は上記実施形態に限定されるものではなく、例えば以下の形態であってもよい。すなわち、上記実施形態においては、調整部材の一部としてエイトカン１２を使用する場合について説明したが、エイトカン１２に代えて、弾性帯１１を挟んで保持可能なクリップを使用してもよい。
【００６７】
また、上記実施形態では、第１係止部材２１及び第２係止部材２２を伸縮しない材料で構成する場合について説明したが、第１係止部材２１及び第２係止部材２２を伸縮する材料で構成するようにしてもよい。この場合、例えば、平ゴム１５を長くして第１係止部材２１として機能させると共に、弾性帯１１の他端部１１２を第２係止部材２２として機能させるようにすればよい。
【００６８】
また、上記実施形態では、第１係止部材２１及び第２係止部材２２の幅がベルト通し３０２，３０３の幅よりも小さく設定されている場合について説明したが、第１係止部材２１及び第２係止部材２２の幅は、ベルト通し３０２，３０３の幅と同じか、或いはベルト通し３０２，３０３の幅よりも広く設定されていてもよい。
【００６９】
また、上記実施形態では、スナップファスナー２１１，２２１を用いて第１係止部材２１及び第２係止部材２２をベルト通し３０２，３０３に係止する場合について説明したが、例えば、面ファスナーやフックなどの他の部材によって第１係止部材２１及び第２係止部材２２をベルト通し３０２，３０３に係止するようにしてもよい。
【００７０】
また、上記実施形態では、弾性帯１１の折り返し量を最大に調整し且つ弾性帯１１が伸長していない状態におけるウエストサイズ調整補助具１０の全長が、ズボン３００の前開き部３０１が閉塞された状態での前開き部３０１の両側のベルト通し３０２，３０３間の距離に基づいて設定されている場合について説明した。ただし、他の実施形態として、ウエストサイズ調整補助具１０の全長を、上記ベルト通し３０２，３０３間の距離とは無関係に設定するようにしてもよい。
【００７１】
また、上記実施形態では、ズボン３００の前開き部３０１を連結するためにその両側のベルト通し３０２，３０３に第１係止部材２１及び第２係止部材２２を係止する場合について説明したが、第１係止部材２１及び第２係止部材２２をズボン３００の横や後ろのベルト通しに係止してズボン３００のウエストサイズを調整するといった使用も可能である。
【００７２】
また、上記実施形態では、ウエストサイズ調整補助セットがズボン３００に装着される場合について説明したが、ウエストサイズ調整補助セットは、ベルト通しを備えていれば、例えばスカート等にも使用可能である。
【００７３】
また、上記実施形態では、サッシュベルト５０の前身頃５１の下端部５２が可能に突出すると共に後ろ身頃５４の下端部５５が上方に凹んだ形状である場合について説明したが、サッシュベルト５０の前身頃５１及び後ろ身頃５４は他の形状のものであってもよい。
【００７４】
また、上記実施形態において説明した寸法や数値等は単なる一例に過ぎず、本考案の範囲を逸脱しなければ他の寸法や数値であっても、本考案を実現できることは言うまでもない。
【符号の説明】
【００７５】
１０    ウエストサイズ調整補助具
１１    弾性帯
１２    エイトカン（調整部材の一部）
１３    Ｄカン（調整部材の一部）
１５    平ゴム
２１    第１係止部材（係止部材の一例）
２２    第２係止部材（係止部材の一例）
５０    サッシュベルト
５１    前身頃
５２    下端部
５４    後ろ身頃
５５    下端部
１１１    一端部
１１２    他端部
１１３    折り返し部
１２１    第１支柱
１２２    第２支柱
１２３    中央支柱
２１１，２１２，２２１，２２２    スナップファスナー
３００    ズボン
３０１    前開き部
３０２，３０３    ベルト通し
３０５    線ファスナー
【図１】
0003173497.tif 000003
【図２】
0003173497.tif 000004
【図３】
0003173497.tif 000005
【図４】
0003173497.tif 000006
【図５】
0003173497.tif 000007